(57)【特許請求の範囲】
【請求項１】
アンカー本体と、このアンカー本体の下面がわに固定されるガードステーと、アンカー本体の上面がわに固定されるシャンクとを備えた船舶用のアンカーであって、アンカー本体は、前後方向に沿った稜線部分を頂部とする山形状に折曲形成されると共に、前端部分が爪先となるような鋭角状に形成される中央基片と、この中央基片の左右側端縁に夫々連設される左右の台形状傾斜翼片とからなり、中央基片の前端がわ下面部分には錘が固定され、ガードステーは、傾斜翼片の前端傾斜縁に連続するように固着される左右の傾斜杆部と、この傾斜杆部の後端部分に連設されると共に、傾斜翼片の左右側端縁部分に固着される左右の控杆部と、この左右の控杆部相互を結ぶように連設される後連結杆部とを備え、傾斜杆部と控杆部がＶ字状の張出部となってアンカー本体の左右側方に夫々突出するように形成され、シャンクは、アンカー本体の中央基片の後端寄り部分にその後端部分が固定されると共に、その前端部分が中央基片の前端がわ斜め上方に向うように配される固定杆と、この固定杆の前端部分に、軸ピンを介して左右方向に揺動自在となるよう装着される揺動杆と、この揺動杆の前端部分に固定されるアンカーリングとを備え、アンカー本体の中央基片の前端寄り部分に線材取付部を形成すると共に、シャンクの固定杆の前端寄り部分に線材係止部を形成し、前記線材取付部と線材係止部とを結ぶように根掛かり防止用線材を装着できるよう構成したことを特徴とするアンカー。
【請求項２】
前記ガードステーの後連結杆部の中央部分と、前記アンカー本体の中央基片の左右方向中央部分とを結ぶような後補強杆を固着し、前記アンカー本体の左右傾斜翼片を結ぶような中央補強杆を固着したことを特徴とする請求項１記載のアンカー。
【請求項３】
前記中央基片の前端がわに設けた爪先の先端部分が、左右傾斜翼片の前端傾斜縁を延長してできる交点部分より前方に位置するように構成したことを特徴とする請求項１記載のアンカー。
【発明の詳細な説明】
【技術分野】
【０００１】
本発明は、船舶用のアンカーに係り、特に、どのような姿勢で投入されても爪先部分が海底等（湖底や河川の底を含む）に確実に喰い込むようになり、強力で安定した把駐力を発揮でき、しかも、岩や岩盤等の障害物に対して根掛かりし難くなるように工夫したアンカーに関するものである。
【背景技術】
【０００２】
従来、この種のアンカーにあっては、例えば、特許文献１に示すような錨が開示されている。
これは、長い柄と、その柄に枢動的に接続されたヘッド部分とを備え、そのヘッド部分がほぼ平らな弧状の本体部分と、前記本体部分に取り付けられかつ前記柄部及び前記本体部分の平面から横に伸びている一対の錨爪と、底侵入ノーズ部分とを備えた錨において、前記本体部分及び前記柄が狭い案内縁を限定しかつ前記本体部分の主要部及び前記柄の主要部は厚さ対高さの比がかなり大きい横断面内に配置され、前記錨の柄及び本体はそれによって薄い案内縁及び本体の形状を有して前記錨が底面を通して容易に通過し、前記底にもぐり、前記柄は横方向の力の下で前記錨が移動するのを抵抗するようになった広い側面を有し、前記柄及び前記ヘッド部分の前記平面内に配置されたヒンジ軸でかつ前記柄の軸線を横切る角度で接合されているものである。
【先行技術文献】
【特許文献】
【０００３】
【特許文献１】特開平２−４５２９３号公報
【発明の概要】
【発明が解決しようとする課題】
【０００４】
ところが、前述の如き錨にあっては、岩や岩盤等の障害物に対してノーズ部分が根掛かりしてしまう虞があった。
そこで、本発明は、岩や岩盤等の障害物に対して根掛かりし難くなり、しかも、どのような姿勢で投入されても爪先部分が海底等（湖底や河川の底を含む）に確実に喰い込むようになり、更に、強力で安定した把駐力を発揮できる優れたアンカーを提供できるようにすべく創出されたものである。
【課題を解決するための手段】
【０００５】
しかして、前述の如き課題を達成できるようにすべく、請求項１記載のアンカーＡにあっては、アンカー本体１と、このアンカー本体１の下面がわに固定されるガードステー５と、アンカー本体１の上面がわに固定されるシャンク２０とを備えた船舶用のアンカーＡであって、アンカー本体１は、前後方向に沿った稜線部分を頂部とする山形状に折曲形成されると共に、前端部分が爪先となるような鋭角状に形成される中央基片２と、この中央基片２の左右側端縁に夫々連設される左右の台形状傾斜翼片３とからなり、中央基片２の前端がわ下面部分には錘１１が固定され、ガードステー５は、傾斜翼片３の前端傾斜縁３ａに連続するように固着される左右の傾斜杆部６ａと、この傾斜杆部６ａの後端部分に連設されると共に、傾斜翼片３の左右側端縁部分に固着される左右の控杆部６ｂと、この左右の控杆部６ｂ相互を結ぶように連設される後連結杆部７とを備え、傾斜杆部６ａと控杆部６ｂがＶ字状の張出部６となってアンカー本体１の左右側方に夫々突出するように形成され、シャンク２０は、アンカー本体１の中央基片２の後端寄り部分にその後端部分が固定されると共に、その前端部分が中央基片２の前端がわ斜め上方に向うように配される固定杆２１と、この固定杆２１の前端部分に、軸ピン２４を介して左右方向に揺動自在となるよう装着される揺動杆２２と、この揺動杆２２の前端部分に固定されるアンカーリング２３とを備え、アンカー本体１の中央基片２の前端寄り部分に線材取付部１０を形成すると共に、シャンク２０の固定杆２１の前端寄り部分に線材係止部２６を形成し、前記線材取付部１０と線材係止部２６とを結ぶように根掛かり防止用線材３０を装着できるよう構成する手段を採用した。
【０００６】
また、請求項２記載のアンカーＡにあっては、前記ガードステー５の後連結杆部７の中央部分と、前記アンカー本体１の中央基片２の左右方向中央部分とを結ぶような後補強杆８を固着し、前記アンカー本体１の左右傾斜翼片３を結ぶような中央補強杆９を固着する手段を採用した。
【０００７】
更に、請求項３記載のアンカーＡにあっては、前記中央基片２の前端がわに設けた爪先の先端部分が、左右傾斜翼片３の前端傾斜縁３ａを延長してできる交点部分より前方に位置するように構成する手段を採用した。
【発明の効果】
【０００８】
従って、請求項１記載のアンカーＡによれば、強力で安定した把駐力を発揮でき、岩や岩盤等の障害物に対して根掛かりし難く、どのような姿勢で投入されても爪先部分が海底等（湖底や河川の底を含む）に確実に喰い込むようになり、強力で安定した把駐力を発揮できる。更に、海底等の底質（砂、泥、小砂利、岩、粘土質、硬い土質等）が異なる場合であっても、対応できるアンカーＡとなる。
しかも、構成が比較的簡素で、軽量且つコンパクトに構成でき、取扱い易く、量産に適し、低廉で、堅牢で、耐久性に優れ、経済的なアンカーＡとなる。
【０００９】
特に、アンカー本体１は、前後方向に沿った稜線部分を頂部とする山形状に折曲形成されると共に、前端部分が爪先となるような鋭角状に形成される中央基片２と、この中央基片２の左右側端縁に夫々連設される左右の台形状傾斜翼片３とからなるので、アンカー本体１自体の強度及び剛性が高いものとなる。
【００１０】
更に、中央基片２の前端がわ下面部分には錘１１が固定されているので、爪先部分が海底等に食い込み易くなる。
【００１１】
そして、ガードステー５は、傾斜翼片３の前端傾斜縁３ａに連続するように固着される左右の傾斜杆部６ａと、この傾斜杆部６ａの後端部分に連設されると共に、傾斜翼片３の左右側端縁部分に固着される左右の控杆部６ｂと、この左右の控杆部６ｂ相互を結ぶように連設される後連結杆部７とを備え、傾斜杆部６ａと控杆部６ｂがＶ字状の張出部６となってアンカー本体１の左右側方に夫々突出するように形成されているので、アンカーＡが左右方向に傾いた状態で着底した場合であっても、張出部６によって爪先部分が海底等に向くようになり、爪先部分を海底等に確実に喰い込ませることができるようになる。
しかも、張出部６を手指で掴み易く、また、船舶のデッキ等に一時的に置いた場合でも、張出部６によって安定した状態を維持できるようになり、より取扱い易いアンカーＡとなる。
【００１２】
それから、シャンク２０は、アンカー本体１の中央基片２の後端寄り部分にその後端部分が固定されると共に、その前端部分が中央基片２の前端がわ斜め上方に向うように配される固定杆２１と、この固定杆２１の前端部分に、軸ピン２４を介して左右方向に揺動自在となるよう装着される揺動杆２２と、この揺動杆２２の前端部分に固定されるアンカーリング２３とを備えているので、揺動杆２２を揺動させることにより、アンカーＡの全長が短くなって、全体がよりコンパクトとなり、嵩張らず、取扱い易くなると共に、不使用時に保管し易いものとなる。しかも、揺動杆２２が揺動することで、着底時に爪先部分が海底等に食い込むのを邪魔するようなことがなくなる。
【００１３】
加えて、アンカー本体１の中央基片２の前端寄り部分に線材取付部１０を形成すると共に、シャンク２０の固定杆２１の前端寄り部分に線材係止部２６を形成し、前記線材取付部１０と線材係止部２６とを結ぶように根掛かり防止用線材３０を装着できるよう構成したので、岩や岩盤等の障害物に深く潜り込むようなことがなくなり、根掛かりを確実に防止できるようになる。しかも、砂や泥等の海底等に対しては、根掛かり防止用線材３０が与える影響が極めて小さいものとなり、爪先部分がスムーズに砂や泥等の海底等に潜り込めるようになる。
【００１４】
また、請求項２記載のアンカーＡによれば、全体的な強度が更に増し、より堅牢で、より耐久性の優れたものとなる。
【００１５】
更に、請求項３記載のアンカーＡによれば、着底した時に前記中央基片２の前端がわに設けた爪先の先端部分が、海底等に対してよりスムーズに潜り込み易くなり、爪先部分を海底等により確実に喰い込ませることができるようになる。
【図面の簡単な説明】
【００１６】
【図１】本発明のアンカー及び保管具を例示する斜視図である。
【図２】本発明のアンカーを例示する斜視図である。
【図３】本発明のアンカーを例示する平面図である。
【図４】本発明のアンカーを例示する一部切欠側面図である。
【図５】本発明のアンカーの使用例を示す側面図である。
【図６】本発明のアンカーの使用例を示す斜視図である。
【図７】本発明のアンカーの使用例を示す斜視図である。
【図８】本発明のアンカーの使用例を示す斜視図である。
【発明を実施するための形態】
【００１７】
以下、本発明を図示例に基づいて説明すると、次の通りである。
本発明は、船舶用のアンカーＡであって、アンカー本体１と、このアンカー本体１の下面がわに固定されるガードステー５と、アンカー本体１の上面がわに固定されるシャンク２０とを備えたものである。
そして、アンカー本体１は、前後方向に沿った稜線部分を頂部とする山形状に折曲形成されると共に、前端部分が爪先となるような鋭角状に形成される中央基片２と、この中央基片２の左右側端縁に夫々連設される左右の台形状傾斜翼片３とからなっている。
しかも、中央基片２の前端がわ下面部分には錘１１が固定されている。
また、ガードステー５は、傾斜翼片３の前端傾斜縁３ａに連続するように固着される左右の傾斜杆部６ａと、この傾斜杆部６ａの後端部分に連設されると共に、傾斜翼片３の左右側端縁部分に固着される左右の控杆部６ｂと、この左右の控杆部６ｂ相互を結ぶように連設される後連結杆部７とを備え、傾斜杆部６ａと控杆部６ｂがＶ字状の張出部６となってアンカー本体１の左右側方に夫々突出するように形成されている。
更に、シャンク２０は、アンカー本体１の中央基片２の後端寄り部分にその後端部分が固定されると共に、その前端部分が中央基片２の前端がわ斜め上方に向うように配される固定杆２１と、この固定杆２１の前端部分に、軸ピン２４を介して左右方向に揺動自在となるよう装着される揺動杆２２と、この揺動杆２２の前端部分に固定されるアンカーリング２３とを備えている。
そして、アンカー本体１の中央基片２の前端寄り部分に線材取付部１０を形成すると共に、シャンク２０の固定杆２１の前端寄り部分に線材係止部２６を形成し、前記線材取付部１０と線材係止部２６とを結ぶように根掛かり防止用線材３０を装着できるよう構成することにより、前記課題を達成する。
【実施例】
【００１８】
前記アンカー本体１は、例えば、五角形状の適宜金属板材を折曲することにより構成されるもので、平面から見て細長五角形状の中央基片２と、平面から見て台形状の左右傾斜翼片３とで構成されている。
【００１９】
そして、中央基片２は、アンカーＡの前後方向に沿った中央の稜線部分を頂部とする山形状に折曲形成（例えば、９０度程度の開き角度となるように折曲形成）されると共に、その前端部分が爪先となるような鋭角状に形成されている。
尚、爪先の左右傾斜縁の基端がわ部分は、緩やかな湾曲凹状に形成されており、爪先の先端部分が海底等（湖底や河川の底を含む）によりスムーズに食い込み易くなるように形成してある。
【００２０】
また、左右の傾斜翼片３は、例えば、中央基片２の中央の稜線部分に対して平行となるような左右側端縁に夫々連設されている。しかも、左右の傾斜翼片３の前端傾斜縁３ａは、平面から見てハ字状に配置されると共に、中央基片２の爪先部分の左右傾斜縁に滑らかに連続するように形成されている。
ところで、左右傾斜翼片３の前端傾斜縁３ａは、例えば、これらを延長してできる交点部分より、中央基片２の爪先の先端部分の方が前方に位置するように構成してあり、前端傾斜縁３ａが海底等に接触した時には、爪先の先端部分が海底等に対して既に潜り込んだ状態となり易く、爪先部分をより確実に喰い込ませることができるように構成してある。
【００２１】
そして、中央基片２の前端がわ下面部分には、所望重量の錘１１が固定されており、アンカーＡを投入したときに、爪先部分が下向の状態の姿勢で沈み易くなるように形成してあると共に、爪先部分が海底等に食い込み易くなるように形成してある。
【００２２】
更に、中央基片２の前端寄り上面部分には、根掛かり防止用線材３０を取付可能な線材取付部１０が形成されており、この線材取付部１０は、例えば、上端縁が円弧状の板材に、根掛かり防止用線材３０を挿通可能な小孔を穿設して構成されており、根掛かり防止用線材３０を簡単に且つ確実に取付けできるよう形成されると共に、爪先部分が海底等に潜り込む際に、できる限り抵抗とならないように形成されている。
【００２３】
前記ガードステー５は、例えば、適宜金属製の杆材（棒材）等を適宜折曲することにより構成されたもので、傾斜翼片３の前端傾斜縁３ａの後端部に固着（溶着）される左右の傾斜杆部６ａと、この傾斜杆部６ａの後端部分に鋭角状に折曲げて連設されると共に、傾斜翼片３の左右側端縁の後端寄りに固着（溶着）される左右の控杆部６ｂと、この左右の控杆部６ｂ相互を結ぶように連設される後連結杆部７とによって構成されている。すなわち、傾斜杆部６ａと控杆部６ｂがＶ字状の張出部６を構成し、これがアンカー本体１の左右側方に夫々突出するように形成されている。
更に、ガードステー５の後連結杆部７の中央部分と、アンカー本体１の中央基片２の左右方向中央部分（中央基片２の稜線の下面がわ部分）とを結ぶように後補強杆８を固着（溶着）して、ガードステー５の強度が増すように形成されている。
加えて、アンカー本体１の前後方向中央部分に於いて、左右傾斜翼片３の中央基片２との連設部分を結ぶように中央補強杆９を固着（溶着）してあり、アンカー本体１全体の強度が増し、より堅牢で、より耐久性の優れたアンカーＡとなるように構成されている。
【００２４】
前記シャンク２０は、例えば、細長厚板状の金属材によって形成される固定杆２１と、細長厚板状の金属材によって形成されると共に、固定杆２１の前端部分に軸ピン２４を含む適宜連結手段を介して揺動自在に連結される揺動杆２２と、この揺動杆２２の前端部分に固着（溶着）されるリング状のアンカーリング２３とからなっている。尚、アンカーリング２３は、ロープや鎖等が簡単に且つ確実に取付けできるように形成されたものであれば良い。
【００２５】
そして、固定杆２１は、その後端部分がアンカー本体１の中央基片２の後端寄り稜線部分に固定（溶着）されると共に、その前端部分が中央基片２の前端がわ斜め上方に向うような所定のシャンク角に配されている。しかも、固定杆２１の前後方向中央部分の下部と、中央基片２の稜線部分の前後方向中央とを結ぶように金属製の板状の補強固定材２５が固着（溶着）されている。すなわち、固定杆２１が中央基片２に確実に且つ強固に連結されるように形成されている。
更に、固定杆２１の前端がわ上部には、例えば、金属製の短い棒材を固着（溶着）することによって、根掛かり防止用線材３０を取付け可能となる線材係止部２６が形成されている。
ところで、前記揺動杆２２の角部稜線部分には、適宜滑り止め手段（例えば、稜線に沿った複数の細かな溝を設ける）が形成されており、この部分を手指で掴み易くし、より取扱い易いアンカーＡとなるように構成しても良い。
【００２６】
また、前記連結手段は、例えば、固定杆２１の前端部分に連設される円筒（或いは、角筒）部分と、この円筒部分を上下で挟むように形成されると共に、揺動杆２２の後端部に連設される溝形状部分と、前記円筒部分と溝形状部分とを貫通する軸ピン２４とからなり、固定杆２１に対して揺動杆２２が左右方向に揺動自在となるように構成されている。しかも、この連結手段は、アンカー本体１の爪先部分上方に配されるように形成してある。
尚、アンカーＡをよりコンパクトに保管できるように、軸ピン２４を取外し可能となるように形成して、揺動杆２２を固定杆２１から取外せるように形成しても良い。
【００２７】
前記根掛かり防止用線材３０は、例えば、できる限り細くて強度の高い適宜金属線材が利用され、線材取付部１０と線材係止部２６とを結ぶように装着されることにより、アンカーＡの爪先部分が岩や岩盤等の障害物に深く潜り込むのを防止できるように構成されている。すなわち、根掛かり防止用線材３０によって、根掛かりを確実に防止でき、しかも、底質が砂や泥等の海底等に対しては、爪先部分が比較的スムーズに潜り込めるように構成されている。
【００２８】
図中Ｂは、本発明のアンカーＡの保管具を示し、この保管具Ｂは、台形状のベース板４０と、このベース板４０の左右斜辺に折返し状に連設される左右折返片４１と、この左右折返片４１の外表面に固着（溶着）されるリング部４２とからなり、このリング部４２に保持紐４３が取付けられて構成されている。
すなわち、ベース板４０と左右折返片４１とで、アンカー本体１の左右前端傾斜縁３ａを抱持させてから、保持紐４３をガードステー５の控杆部６ｂ等に巻き掛けることにより、アンカーＡを安定的に且つ簡単に保持できるように構成されている。
【００２９】
ところで、アンカーＡの具体的構成、形状、寸法、材質、アンカー本体１の具体的構成、形状、寸法、材質、中央基片２の具体的構成、形状、寸法、材質、傾斜翼片３の具体的構成、形状、寸法、材質、前端傾斜縁３ａの具体的形状、寸法、ガードステー５の具体的構成、形状、寸法、材質、張出部６の具体的構成、形状、寸法、配設位置、傾斜杆部６ａの具体的形状、寸法、配設位置、控杆部６ｂの具体的形状、寸法、配設位置、後連結杆部７の具体的形状、寸法、配設位置、後補強杆８の具体的形状、寸法、材質、配設位置、数、中央補強杆９の具体的形状、寸法、材質、配設位置、数、線材取付部１０の具体的構成、形状、寸法、材質、配設位置、錘１１の具体的構成、形状、寸法、材質、配設位置、シャンク２０の具体的構成、形状、寸法、材質、固定杆２１の具体的構成、形状、寸法、材質、配設位置、揺動杆２２の具体的構成、形状、寸法、材質、配設位置、アンカーリング２３の具体的形状、寸法、材質、配設位置、軸ピン２４の具体的構成、形状、寸法、材質、補強固定材２５の具体的構成、形状、寸法、材質、配設位置、数、線材係止部２６の具体的構成、形状、寸法、材質、配設位置、根掛かり防止用線材３０の具体的構成、形状、寸法、材質、保管具Ｂの具体的構成、形状、寸法、材質、ベース板４０の具体的形状、寸法、材質、折返片４１の具体的形状、寸法、材質、配設位置、リング部４２の具体的構成、形状、寸法、材質、配設位置、保持紐４３の具体的構成、材質等は図示例のもの等に限定されることなく適宜自由に設定、変更できるものである。
【産業上の利用可能性】
【００３０】
しかして、本発明のアンカーＡは、どのような姿勢で投入されても爪先部分が海底等に確実に喰い込むようになり、強力で安定した把駐力を発揮でき、しかも、岩や岩盤等の障害物に対して根掛かりし難くなる。
【符号の説明】
【００３１】
Ａ      アンカー
１      アンカー本体
２      中央基片
３      傾斜翼片
３ａ    前端傾斜縁３ａ
５      ガードステー
６      張出部
６ａ    傾斜杆部
６ｂ    控杆部
７      後連結杆部
８      後補強杆
９      中央補強杆
１０    線材取付部
１１    錘
２０    シャンク
２１    固定杆
２２    揺動杆
２３    アンカーリング
２４    軸ピン
２５    補強固定材
２６    線材係止部
３０    根掛かり防止用線材
Ｂ      保管具
４０    ベース板
４１    折返片
４２    リング部
４３    保持紐
【要約】      （修正有）【課題】強力で安定した把駐力を発揮でき、根掛かりし難く、爪先部分が確実に喰い込み、構成簡素で、軽量で、コンパクトで、取扱い易く、量産に適し、低廉で、堅牢で、耐久性に優れ、経済的なアンカーを提供する。【解決手段】アンカー本体１は、中央基片２と左右の傾斜翼片３とからなり、中央基片２の前端がわ下面部分に錘を固定し、ガードステー５は、左右の傾斜杆部６ａと、左右の控杆部６ｂと、後連結杆部とを備え、張出部６がアンカー本体１の左右側方に夫々突出し、シャンク２０は、固定杆２１と、軸ピン２４を介して左右方向に揺動自在となる揺動杆２２とを備え、アンカー本体１の中央基片２の前端寄り部分に線材取付部１０を形成し、シャンク２０の固定杆２１の前端寄り部分に線材係止部２６を形成し、線材取付部１０と線材係止部２６とを結ぶように根掛かり防止用線材を装着できるよう構成する。【選択図】図１【図１】
0004678624.tif 000002
【図２】
0004678624.tif 000003
【図３】
0004678624.tif 000004
【図４】
0004678624.tif 000005
【図５】
0004678624.tif 000006
【図６】
0004678624.tif 000007
【図７】
0004678624.tif 000008
【図８】
0004678624.tif 000009